(57)【特許請求の範囲】
【請求項１】
回折格子を画素として構成されるディスプレイにおいて、
回折格子が位相型回折格子であり、
回折格子内の各位置での位相変調量が、回折格子面の少なくとも１方向について、中心部から周辺部へ向かって小さくなっていることを特徴とする回折格子ディスプレイ。
【請求項２】
回折格子を画素として構成されるディスプレイにおいて、
回折格子が位相型回折格子であり、
回折格子内の各位置での位相変調量が、回折格子面の１方向では、中心部から周辺部へ向かって小さくなり、それと直交する方向では、中心部から周辺部へ向かって一定であることを特徴とする回折格子ディスプレイ。
【請求項３】
回折格子内の各位置での位相変調量が変化する方向が、観察者に対して水平であることを特徴とする請求項２に記載の回折格子ディスプレイ。
【請求項４】
回折格子内の各位置での位相変調量が変化する方向が、観察者に対して垂直であることを特徴とする請求項２に記載の回折格子ディスプレイ。
【請求項５】
回折格子内の各位置での位相変調量が、中心部から周辺部へ向かって小さくなる回折格子面の方向で、
位相変調量が、中心部から周辺部へ向かってなだらかに減少することを特徴とする請求項１〜４の何れかに記載の回折格子ディスプレイ。
【請求項６】
回折格子内の各位置での位相変調量が、中心部から周辺部へ向かって小さくなる回折格子面の方向で、
位相変調量が、中心部近傍では一定であり、中心部から離れた位置から周辺部へ向かって減少していることを特徴とする請求項１〜４の何れかに記載の回折格子ディスプレイ。
【請求項７】
回折格子が、球面波状の位相分布を有する１次回折光を出射することを特徴とする請求項１〜６の何れかに記載の回折格子ディスプレイ。
【請求項８】
回折格子内の各位置での位相変調量が、中心部から周辺部へ向かって小さくなる回折格子面の方向においてのみ、回折格子が球面波状の位相分布を有する１次回折光を出射することを特徴とする請求項１〜６の何れかに記載の回折格子ディスプレイ。
【請求項９】
球面波状の位相分布が、収束球面波状であることを特徴とする請求項７または８に記載の回折格子ディスプレイ。
【請求項１０】
球面波状の位相分布が、発散球面波状であることを特徴とする請求項７または８に記載の回折格子ディスプレイ。
【請求項１１】
球面波状の位相分布を有する１次回折光を出射するセル状の回折格子を、後述する２次元画像の枚数に応じて複数に領域分割した各々を画素単位であるサブセルとし、
観察者に対して、サブセル面の少なくとも水平方向について、サブセル内の各位置での回折格子の位相変調量が、中心部から周辺部へ向かって小さくなっており、
各サブセルが、視差を有する複数枚の２次元画像を構成する画素とすることにより、立体画像を表示することを特徴とする請求項７または８に記載のディスプレイ。
【発明の詳細な説明】
【０００１】
【発明の属する技術分野】
本発明は、画素（セル）を構成単位とするディスプレイに関する。
特に、画素（セル）となる回折格子が位相型回折格子であり、回折格子内の各位置での位相変調量が、回折格子面の少なくとも１方向について、中心部から周辺部へ向かって小さくなるような位相変調量の分布を有する回折格子ディスプレイに関する。
【０００２】
【従来の技術】
画素となるセルの集まりによって構成されるディスプレイには、各種のタイプがある。
このうち、セルが回折格子からなり、回折格子セルからの１次回折光によって画像を表示するタイプのディスプレイとして、本出願人による特開平２−７２３２０号公報などが公知である。
【０００３】
従来の回折格子ディスプレイでは、セルとして、図１に示すような、セル内では位相変調量の分布が変化しない単純な回折格子が用いられており、回折格子セルからの１次回折光の強度分布は、セル平面では、図２に示す矩形関数のグラフで表されることになる。
【０００４】
すなわち、１次回折光の強度分布が、セル平面では、セルの範囲内で一定（セルの位置に応じて強度分布が変化することはない）であり、１次回折光の強度分布は、図２のような矩形関数で表される。
【０００５】
上記の強度分布は、セル面におけるセルの範囲内（図２の、−ｄから＋ｄ）で当てはまる説明であり、ディスプレイを観察する距離とセルのサイズとの関係によっては、以下のように事情が変わることになる。
【０００６】
下式のように定義するフレネル数（Ｎ）で、Ｎ＜＜１の条件での観察状態がフラウンホーファー領域に相当する。それ以外の条件での観察状態はフレネル領域に相当する。「Ｎ＜＜１」は、「Ｎが１よりもずっと小さい」ことを意味する。一般には、数倍以上の差があれば良い。
何れの領域においても、（位相変調量の分布が変化しない）単純な回折格子セルからの１次回折光の強度分布は、フレネル数に対して一義的に決定される。
【０００７】
【数１】
0003864517.tif 000002
【０００８】
尚、上式において、セルから出射する光が球面波の位相を有する場合には、観察距離の値に、球面波の収束点あるいは発散点の距離を考慮する必要がある。
【０００９】
観察状態がフラウンホーファー領域（一般に、セルのサイズが小さい場合）にあたる場合、セルでの回折の影響で、１次回折光は広がることになる。
すなわち、一つ一つのセルでの光強度分布は、周辺部でノイズ成分を伴うものとなり、セル間でのクロストークとなる。
【００１０】
観察状態がフレネル領域にあたる場合でも、上記と同様に、セルからの１次回折光は、各周辺部でノイズ成分を伴うと共に、各中心部では光強度が激しく変化したものとなる。
【００１１】
セル内で位相変調量の分布が変化しない単純な回折格子であり、上記２種類の観察状態では、周辺部でノイズ成分を伴うことになる１次回折光の光強度分布（波形）の一例を、図３に示す。
同図は、左側の図が、回折格子セルに光を入射させて１次回折光を出射させる状態を概念的に表し、右側の図（上下に３種類）が、１次回折光の光強度分布（波形）の種々の例を表す。周辺部でノイズ成分を伴う従来技術は、中段の波形で示される。
【００１２】
また、セルのサイズがある程度大きい場合には、１次回折光により表示される画像を観察することが可能な範囲が極めて限定されてしまう。
この際、ディスプレイから出射する１次回折光に散乱性を持たせれば広い範囲から観察することが可能となるが、視域を自由に設定することが難しくなる。
【００１３】
図４に示すような既存のディスプレイでは、セルに入射させる照明光は、ディスプレイを介して観察者とは反対側からのバックライトによる照明光であり、セルでの回折の影響で、結果的に１次回折光が広がる現象が見られることはあるが、意図的に出射する光を発散光とする工夫がなされた提案は、現在のところ報告されていない。
【００１４】
尚、照明光が回折格子セルを介して観察者と反対側から入射し、表示光（１次回折光）が観察者側に透過回折して出射するような、上記の形態に限らず、
本発明は、照明光が回折格子セルに対して観察者側から入射し、観察者側に反射回折して出射するような形態も包含するものである。
【００１５】
このように、従来のセルからの１次回折光の不均一さに起因して、ディスプレイを観察すると、観察者の視点位置によりディスプレイの明るさが変化したり、ディスプレイ面に明暗の縞が観察されるという問題が起こる。
【００１６】
上記のような単純な回折格子セルを画素とするディスプレイで、観察する方向に応じて視差を持つ異なる２次元画像を視覚させることによって、立体感のある画像表示を行なわせる工夫がなされた提案が、本出願人による特開平３−２０６４０１号公報・特開平４−３１１９１６号公報などで報告されているが、１次回折光が各周辺部でノイズ成分を伴うことに起因する「セル間でのクロストーク」の解決を図った提案は、現在のところ報告されていない。
【００１７】
上記ディスプレイ（図４参照）では、本来、視覚するべき２次元画像を構成する画素を、対応するセルからのメインローブ（特定セルからの１次回折光が到達する領域に瞳が位置し、そのセルを視覚した状態）における１次回折光を、クロストークによって鮮明に視覚できないことになる。
そればかりか、隣のセルからの１次回折光による画素も混合して視覚することになり、立体感のある画像表示の上では致命的な問題となる。
【００１８】
【発明が解決しようとする課題】
本発明は、セルからの１次回折光が、各周辺部でノイズ成分を伴わないようにし、観察状態が、フラウンホーファー領域・フレネル領域のいずれにあたる場合であっても、セル間でのクロストークを回避し、ディスプレイを安定に（視点位置により明るさが変化せず、明暗の縞が観察されないように）視覚させることを主な目的とする。
【００１９】
【課題を解決するための手段】
本発明は、ディスプレイを構成する画素となる回折格子（位相型回折格子）からなるセルからの１次回折光が、セル面の少なくとも１方向について、セルの中心部から周辺部へ向かって低くなる強度分布となるように、回折格子の位相変調量の分布を有することを特徴とする。
【００２０】
請求項２の発明は、
回折格子セル内の各位置での位相変調量が、回折格子面の１方向では、中心部から周辺部へ向かって小さくなり、それと直交する方向では、中心部から周辺部へ向かって一定であることを特徴とする。
【００２１】
回折格子セル内の各位置での位相変調量が変化する方向は、作製するディスプレイに応じて、観察者に対して水平（または、垂直）とすることができる。
【００２２】
請求項５の発明は、
回折格子セル内の各位置での位相変調量が、中心部から周辺部へ向かって小さくなる回折格子面の方向で、
位相変調量が、中心部から周辺部へ向かってなだらかに減少することを特徴とする。
【００２３】
請求項６の発明は、
回折格子セル内の各位置での位相変調量が、中心部から周辺部へ向かって小さくなる回折格子面の方向で、
位相変調量が、中心部近傍では一定であり、中心部から離れた位置から周辺部へ向かって減少していることを特徴とする。
【００２４】
請求項７の発明は、
回折格子セルが、球面波状の位相分布を有する１次回折光を出射することを特徴とする。
球面波状の位相分布としては、作製するディスプレイに応じて、収束球面波状としたり、発散球面波状としたり、適宜に選択される。
【００２５】
上記ディスプレイにおいて、立体感を持つ表示を行なうために、請求項１１の発明は、
球面波状の位相分布を有する１次回折光を出射するセル状の回折格子を、後述する２次元画像の枚数に応じて複数に領域分割した各々を画素単位であるサブセルとし、
各サブセルが、サブセル面の少なくとも１方向について、サブセル内の各位置での回折格子の位相変調量が、中心部から周辺部へ向かって小さくなっており、各サブセルが、視差を有する複数枚の２次元画像を構成する画素とすることにより、立体画像を表示することを特徴とする。
【００２６】
＜作用＞
位相型回折格子では、格子を屈折率の異なる媒質によって構成しており、この異なる屈折率の部分を通過するそれぞれの光に光路差が生じる。この光路差を光の波長で割ったものがそれぞれの光の位相差であり、ここでは、その位相差を生じるための媒質の屈折率差や厚みの差などを総じて位相変調量と呼ぶ。このとき、このような位相型回折格子による１次回折光の回折効率は位相変調量に依存する。
【００２７】
具体的には、回折格子が透過型である場合、表面レリーフ型では、回折格子の谷（空気などの媒質）を光が通過する光学的な距離と、回折格子の山（基材の媒質）を光が通過する光学的な距離との差を光の波長で割ったものが、位相差である。
回折格子が反射型（表面レリーフ）である場合には、位相差は、回折格子の山と谷の光学的な距離の差の２倍に相当する。
【００２８】
どのような形態の位相型回折格子であっても、位相変調量が小さいと、その部分からの回折光の回折効率は小さくなり、位相変調量がπのとき回折効率が最大となる。
従って、本発明のディスプレイにおいては、回折格子セル内で最大回折効率を得たい部分での位相変調量をπにするのが望ましい。具体的には、セル中心部を位相変調量πにするのが望ましい。
【００２９】
すなわち、本発明における回折格子セルからの１次回折光は、セルの周辺部での光強度分布が中心部に比べて小さいものとなる。なお、実際に最大効率となる位相変調量は、（１＋２ｎ）π周期（ｎは整数）で示されるが、ここでは簡便のため、最大変調量がπとして説明する。
π以上の位相変調量を持つ回折格子を用いる場合でも、各セルの周辺部において回折効率がなだらかに減少するように位相変調量を減少させれば同様の効果が得られる。
図９，１０に、本発明による回折格子セルの中心部と周辺部での位相分布を示す。図９は正弦波位相の回折格子、図１０は２値位相の回折格子の場合である。それぞれの図において、上が中心部、下が周辺部についてである。
【００３０】
以上のことから、
回折格子セルにおける回折格子の位相変調量が、中心部から周辺部へ向かって小さくなるように変化する方向に対して、個々のセルからの１次回折光の周辺部（特に、セルの幾何光学的な像よりも外側の部分）での強度を小さくすることができ、クロストークの原因となる周辺部のノイズ光が抑えられる。
【００３１】
また、１次回折光の分布のメインローブ（特に、セルの幾何学的な像よりも内側の部分）内での均一性が向上する。
ここで、セル面の２方向（Ｘ方向，Ｙ方向）に対して、回折格子の位相変調量を変化させた場合には、上記２方向に１次回折光の分布を均一にすることができるため、観察者にとって、ディスプレイの上下方向・左右方向共に、メインローブ内での均一性が向上する。（請求項１）
【００３２】
セル面の１方向（Ｘ方向，Ｙ方向の何れか一方）についてのみ、回折格子の位相変調量を変化させ、それと垂直な方向については、位相変調量を均一にした場合には、
２方向について変化させる場合よりも、セルから１次回折光が出射する割合が高くなり、光の利用効率が上がることになるため、ディスプレイの明るさが向上する。（請求項２）
【００３３】
一般的に、観察者の視点の移動方向は水平方向が多いため、この方向に回折格子の位相変調量を変化（中心部から周辺部へ向かって低くなるように）させれば、観察者の移動に対し、明るさの変化の少ないディスプレイとなる。（請求項３）
【００３４】
中心部から周辺部へ向かって低くなるように、回折格子の位相変調量を変化させる場合、
中心部から周辺部へ向かってなだらかに低くなるように（図７のような波形）しても良いが、（請求項５）
中心部付近では一定の最大値であり、中心部からある程度離れた位置から周辺部へ向かって低くなるように（図８に示す台形状の波形）すると、セルへの入射光を高効率で１次回折光として寄与させることができ、ディスプレイの明るさが向上する。（請求項６）
【００３５】
セルから出射する１次回折光が、球面波状の位相分布を有するようにすることで、セルのサイズに依存せず、出射する１次回折光を任意の範囲に拡げることができる。（請求項７）
【００３６】
ディスプレイの特定方向での視域（表示画像を観察可能な角度範囲）を限定する際、セルからの１次回折光に球面波状の位相分布を付与することが有効であるが、前記の範囲内での１次回折光の分布が、その方向では不均一になりやすい。しかし、上記方向と一致する方向に各セルの透過率もしくは反射率を変化させている場合には、上記方向での１次回折光の強度を均一にし、また、前記の範囲外への不要な光（ノイズ光）を減少させることが可能である。
この場合でも、観察者の視点の移動方向は水平方向が多いため、上記特定方向としては、水平方向が一層有効である。（請求項８）
【００３７】
球面波状の位相分布としては、セルからの１次回折光が、特定位置から発散すれば良いから、特定焦点に集光した後発散するような「収束球面波状」でも始めから発散するような「発散球面波状」であっても良い。（請求項９，１０）
【００３８】
本発明を、立体感のある画像表示を行なうディスプレイに応用する場合には、クロストークによって、隣のセルからの１次回折光による視差を持つ画素も混合して視覚するという致命的な問題が回避され、鮮明な立体画像を視覚することができる。（請求項１１）
【００３９】
【発明の実施の形態】
本発明は、画素である回折格子セル内での回折格子の位相変調量を、少なくとも１方向について、中心部から周辺部へ向かって減少させることにより、メインローブ内での出射光の強度を均一にし、メインローブの外側でのノイズ光を減少するディスプレイである。
【００４０】
回折格子の位相変調量に依存して回折効率が変化することは前述したが、回折光の強度分布は、その平方根である振幅分布と関連する。
本発明の回折格子セルにおける位相変調量の変化に依存して生じる１次回折光の振幅分布についての数学的な表現としては、sinc関数、Bartlett窓関数、一般化Hamming 窓関数などが例示される。
【００４１】
【数２】
0003864517.tif 000003
【００４２】
【数３】
0003864517.tif 000004
【００４３】
【数４】
0003864517.tif 000005
【００４４】
上式において、回折格子セルが円形の場合、ｘはセル中心からの距離であり、回折格子セルが矩形の場合、ｘは矩形の任意の辺に垂直な軸をとり、開口中心を０とした座標である。
尚、Ｔはセルの大きさ（円形セルの場合は直径、矩形セルの場合は１辺の長さ）であり、−Ｔ／２≦ｘ≦Ｔ／２の範囲の値をとる。
【００４５】
一般化Hamming 窓関数においては、αにより関数の形を最適化できるが、α＝０．５や０．５４が一般的である。
【００４６】
セル直後において、セルの中心部の振幅分布を一定にし、中心部から離れた位置から周辺部へ向かって減少するように（波形を台形状に）した場合は、台形関数に相当する。
ただし、本発明においては、台形関数として斜辺部は直線とは限らないものとする。（すなわち、中心付近で一定値をとり、その両側でなだらかに減少するような関数を台形関数と称することとする）
【００４７】
なお、ここではセルからの１次回折光の振幅関数として、代表的ないくつかの関数をあげたが、本発明はこれらに限定されるものではない。
【００４８】
上記の関数のフーリエ変換は、矩形関数のフーリエ変換に比べて、その振幅の値が周辺部で著しく小さくなることは知られている。
フーリエ変換は、光学系においては、平行光状の位相を持つ任意の振幅分布についてのフラウンホーファー領域（十分遠方）における回折光分布の計算と等価である。
すなわち、これらの関数を振幅分布とする１次回折光のフラウンホーファー領域における分布は、周辺部での強度が著しく小さいことになる。
【００４９】
セルからの１次回折光が、球面波状の位相分布を有する場合、通常の観察条件（観察者とディスプレイとの距離が３０ｃｍ〜１ｍ程度）においても、１次回折光の分布が、セルの直後における振幅分布のフーリエ変換とは異なってしまい、一層不均一になりやすい。
この際、セルの振幅率が変化していると、１次回折光の分布を均一にすることができると共に、１次回折光の強度分布を周辺部において小さくすることができる。
【００５０】
上記のように、セル内における回折格子の位相変調量によりセル直後における１次回折光の振幅分布を変化させた場合、セル直後における１次回折光が、球面波状の位相分布を有する場合であっても、周辺部での強度を小さくできる。
ただし、球面波状の位相分布を有する場合には、矩形関数で表されるセルでは、メインローブでの１次回折光分布の不均一さが顕著になりやすいのに対し、上述のような本発明のセルでは、１次回折光の強度分布が均一になる傾向がある。
本発明による回折格子セルの一例を図６に示す。
また、本発明による回折格子セルからの、セル平面における１次回折光の強度分布の例を図７，８のグラフに示す。
【００５１】
１次回折光に、球面波状の位相分布を持たせる手段としては、
（１）回折格子を曲線で構成する。（例えば、ゾーンプレートの一部を回折格子として用いる）
（２）１次回折光を発生させるための照明光を、平行光ではなく球面波状の位相分布を持つ光（例えば、点光源からの発散光）とする。
などがある。
【００５２】
セル直後の１次回折光の振幅分布が台形関数の場合、１次回折光の強度分布が周辺部で減少を伴ったまま、中心部での強度を上げることができ、入射光の利用効率を上げることができるため、一層効果的である。
ただし、台形の斜辺部を小さくし過ぎる（矩形に近くする）と、セルからの１次回折光の強度分布が周辺部で上がり、効果が小さくなる。具体的には、例えばセルの大きさが５０μｍのとき、台形の斜辺部が１０μｍ程度（上辺が３０μｍのような台形）なら、十分な効果がある。
【００５３】
上記のような回折格子セルを画素とするディスプレイでの画像表示においては、従来のディスプレイと同様に、各画素（セル）への入射光（照明光）の強度や波長を変化させたり、あるいは画素毎にセルのサイズや位相変調量の最大値を変化させるなどにより、画像を表示すればよい。
【００５４】
セル内で格子の位相変調量が変化する方向は、観察者に対して水平および／または垂直とすることができる。
【００５５】
通常、ディスプレイを視覚する場合には、観察者の視点位置は、垂直方向には比較的狭い範囲に限定できる。（水平方向での観察者の移動に比べて、体格差・観察する姿勢による変位が少ないため）
そこで、１次回折光について、垂直方向に球面波状の位相分布を持たせるようにすると、その方向での光の利用効率を高くできる。
しかし、１次回折光の分布が不均一になりやすく、このため、セル内で、観察者に対して垂直方向で格子の位相変調量を変化させることによって、１次回折光の分布を均一にすることができる。
同様のことが、水平方向についても当てはまる。
【００５６】
球面波状の位相分布として、収束球面波状とすることにより、収束位置近辺に配置した別の素子（例えば、波長選択用のフィルターなど）へ、セルからの１次回折光を入射させることが容易になる。特に、その素子がディスプレイの画素と同様の配列である場合には非常に有効である。
【００５７】
球面波状の位相分布として、発散球面波状とすることにより、照明光源からの入射光が画素（セル）を通過する前に、入射光の収束点に相当する場所がある場合には、この位置（収束点に相当する場所）に前述のような別の素子を配置することが可能である。
【００５８】
このようなディスプレイで、両眼視差により立体感を伴う表示を行なうには、球面波状の位相分布を有する光を出射するセルを、観察者に対して水平方向（左右の眼が並ぶ方向）に複数に領域分割して、それぞれをサブセルとする。
領域分割する数は、視差を有する２次元画像の枚数に応じることになる。
上記ディスプレイを図５に概念的に示す。同図では、サブセル（視差を有する２次元画像）は４種類である。
【００５９】
各サブセルを、観察する方向に応じて視差を持つ異なる２次元画像を構成する画素とすることで、ディスプレイが立体感のある画像表示を行なうことについての詳細は、前述の本出願人による特開平３−２０６４０１号公報・特開平４−３１１９１６号公報などに記載されている。
【００６０】
各サブセルは、それぞれ少なくとも１方向（少なくとも、観察者に対して左右の眼が並ぶ水平方向）について、中心部から周辺部へ向かって低くなるような格子の位相変調量の分布を有しており、各々が、上記の２次元画像を構成する画素単位となる。
【００６１】
サブセルを適正に配置して、ディスプレイとすることにより、観察する方向に応じて視差を持つ異なる２次元画像を視覚させることができ、立体感のある画像表示を行なわせることが可能となる。
【００６２】
このとき、本発明のディスプレイにおいては、各視差画像に対する視域内（上記のメインローブに相当）では１次回折光の強度分布が均一になりる。
さらに、観察者に対し水平方向に位相変調量を変化させているとき、他の視域から観察されるべき視差画像が重複して観察されてしまう「クロストーク（上記のメインローブの外側のノイズ光に相当）」が減少するため、より高品位な立体画像を表示できる。
【００６３】
【発明の効果】
以上説明したように、本発明のディスプレイでは、個々の画素（回折格子セル）からの出射光である１次回折光の強度を周辺部において小さくすることができる。
従って、観察者の視点位置に依存するディスプレイの明るさの変化が少なく、ディスプレイ面に明暗の縞なども現れない、均一な画像の表示が可能である。
特に、観察者に対して（両眼の並ぶ）左右方向に、各画素からの出射光の強度を周辺部において小さくし、かつ、出射光に球面波の位相を付与している場合には、各画素からの出射光によるクロストークが回避されると共に、各出射光分布のメインローブでの均一性が向上するため、立体感のある画像表示を行なわせる上で有効である。
【００６４】
【図面の簡単な説明】
【図１】従来の回折格子セルを示す説明図。
【図２】従来の回折格子セルからの１次回折光の強度分布（セル平面での）を示すグラフ。
【図３】従来の回折格子セルからの、周辺部でノイズ成分を伴うことになる１次回折光の光強度分布（波形）の一例を示すグラフ。
【図４】回折格子ディスプレイの一例を概念的に示す説明図。
【図５】立体表示の可能な回折格子ディスプレイを示す説明図。
【図６】本発明の回折格子セルの一例を示す説明図。
【図７】本発明の回折格子セルからの１次回折光の強度分布（セル平面での）の一例を示すグラフ。
【図８】本発明の回折格子セルからの１次回折光の強度分布（セル平面での）の一例を示すグラフ。
【図９】本発明の回折格子セルの中心部と周辺部での位相分布を示す説明図。
【図１０】本発明の回折格子セルの中心部と周辺部での位相分布を示す説明図。
【図１】
0003864517.tif 000006
【図２】
0003864517.tif 000007
【図３】
0003864517.tif 000008
【図４】
0003864517.tif 000009
【図５】
0003864517.tif 000010
【図６】
0003864517.tif 000011
【図７】
0003864517.tif 000012
【図８】
0003864517.tif 000013
【図９】
0003864517.tif 000014
【図１０】
0003864517.tif 000015